(57)【要約】【目的】  アルミ角形中空形材を用いるアルミ建築構造物の構造躯体に必要な強度を確保するために、接合する各部位に特殊な接合金物（マルチホールダウン金物）を用いてモーメント抵抗接合構造・剛接合としていることにある。【構成】  アルミ角形中空形材をＨ型、格子状に構成することにより風圧力、地震力（水平力）及びすべての鉛直荷重（積雪荷重、屋根荷重、床荷重、外壁荷重、内壁荷重）に対し建物の安全性を確保する。【選択図】図１
2006112197.tif 000002
【特許請求の範囲】
【請求項１】
アルミ角形中空形材を用いて立体を構成するため、それぞれ複数の骨格部材と接合部材から成ることを特徴とするアルミニウム建築構造物。
【請求項２】
上記を具備すると共に骨格部材の接合方法及び補強方法に特殊な接合金物等（マルチホールダウン金物）を用いてモーメント抵抗接合構造・剛接合とすることを特徴とするアルミニウム建築構造物。
【請求項３】
上記「請求項１」及び「請求項２」を具備すると共にＨ形及び格子状に構成された床面、壁面、屋根面等から成ることを特徴とするアルミニウム建築構造物。
【発明の詳細な説明】
【発明の詳細な説明】
【産業上での利用分野】
【０００１】  アルミニウム建築物の構造方法に関する技術基準（構造材に関する許容応力度及び材料強度・これらの算出に当っての基準）によるアルミニウム建築構造物、即ちアルミニウム合金材による（角形中空形材）床組・壁組・屋根組等の構造耐力上主要な部分に適用することによる建築構造物等。
【背景技術】
【０００２】  地震力又は風圧力により生じる水平荷重に対し、建物の安全を確保するために構造躯体（水平荷重・鉛直荷重）に必要な耐力壁（耐力壁となる仕様と倍率）には、筋かいによるもの（径９ｍｍの鉄筋）、面材を釘打ちした壁を設けた軸組（構造用合板）等が用いられる。なお、床・屋根等には構造用合板、火打梁等が用いられる。さらに筋かい、面材の釘打ち等の接合方法釘打ち等には、その耐力（壁倍率）に応じた接合仕様（接合金物・釘の種類等）が規定されていることから建物の安定を確保するためには、定められる基準を理解し、仕様に応じた設計及び施工が要求される。
【発明が解決しようとする課題】
【０００３】  立体を構成する構造躯体（骨格構造、床面、壁面、屋根面（Ｈ型及び格子状等））の接合方法にモーメント抵抗接合構造・剛接合とすることにより、従来技術に必要な筋かいによる（径９ｍｍの鉄筋）斜め材、面材を釘打ちした耐力壁等によって制限されること、により設計の自由度がなく問題が多い等に対し、自由に開口部の選択、あるいは全開口部を持つアルミニウム建築構造物を可能としたことにより、構造躯体と外壁構成材を分離することにより設計の自由度が向上する。さらに構造躯体を構成する部材が、Ｈ形及び格子状等に単位化されていることにより、立体を構成する部材の加工、運搬、建て方を容易にすると同時に部材、部品化等及び品質管理等十分行えることにより、安定したアルミニウム建築構造物を提供することにある。
【課題を解決するための手段】
【０００４】  立体を構成する骨格部材の接合方法に特殊な接合金物（マルチホールダウン金物）を用いることにある。主要骨格部材に取り付く突起部この部位を特殊な接合金物という。なお、立体を構成する骨格部材がＨ形及び格子状に構成されていることが本発明の課題を解決する手段となる。即ち、Ｈ形及び格子状に構成されたフレーム（床面、壁面、屋根面等）により立体を構成し、アルミニウム建築構造物を構築する。
【作用】
【０００５】  骨格部材（縦部材及び横部材）を接合金物（マルチホールダウン金物）により接合することによりＨ形フレーム及び格子状フレーム（モーメント抵抗接合構造・剛構造）を作り出す。さらにＨ形フレーム及び格子状フレームを自由に要求デザインに対応し、立体を構成することを可能とする。なお、構造上安全なアルミニウム建築構造物とするために、耐力壁の配置計画及び全体設計が容易にできる。上記作用はＨ形・格子状に構成されたフレームすべてがモーメント抵抗接合構造・剛構造にある。即ち、構造躯体と外壁構成部材とが分離されていることから、自由なデザイン及び安定した剛強度を持つアルミ建築構造物を実現できる。
【実施例】
【０００６】  以下この発明の実施例を図面を参照して説明する。
図１において、アルミ角形中空形材を用いて立体を構成するアルミニウム建築構造物の基本型１である。床面２、壁面３、屋根面４・水平面５から構成される。【０００７】  図２に示す立体を構成するアルミ建築構造物は、図１基本型の屋根面４を勾配を持つ屋根面６としている。【０００８】  図３に示すアルミ合金材の（押出形材）断面図は、接合金物（マルチホールダウン金物）の１例（（１）、（２）、（３）、（４））である。接合強度及び接合方法に応じて選択する。【０００９】  図４に示す接合部の詳細図は、図５（１）に示す接合部の代表例である。骨格部材・縦フレーム７に対し接合金物（マルチホールダウン金物）８を接合金物用座金９及び接合ボルト・接合ナット１０を用いて接合した詳細図である。なお、接合された接合金物８に骨格部材・横フレーム１１を挿入し、接合ビス１２により接合した例を示す。骨格部材・縦フレーム７と骨格部材・横フレーム１１と接合金物（マルチホールダウン金物）により接合することによるモーメント抵抗接合構造・剛構造１３の詳細図である。【００１０】  図５に示す接合例は骨格部材・縦フレーム７と骨格部材・横フレーム１１とを接合金物（ホールダウン金物）８を用いて接合した代表例（（１）、（２）、（３））である。【００１１】  図６に示す立体構成図の断面図は、アルミ合金によるアルミ角形中空形材を用いて立体構成するアルミ建築構造物の基本型１の屋根面・勾配を持った屋根面６と屋根面が水平面５である。骨格部材・縦フレーム７と骨格部材・横フレーム１１の接合部はすべて接合金物（マルチホールダウン金物）によって接合されたモーメント抵抗接合構造・剛構造１３の基本断面図である。【００１２】  上記各例における接合方法は構造強度に応じアルミ合金・アルミ角形中空形材厚さ及び接合金物（マルチホールダウン金物）・接合用ボルト・接合用ビス等の径、本数は、適宜に選択するものとする。
【発明の効果】
【００１３】  この発明によれば、アルミ角形中空形材を用いるアルミニウム建築構造物による地震・風に関し、構造耐力上の安全性が強化（倒壊防止・損傷防止）される。構造計画や意匠の多様化への対応、構造設計の自由度の拡大、軽量性、成型加工性など優れた特徴を持つアルミニウム合金を建築構造の利用、等の向上等が図られる。
【図面の簡単な説明】
【図１】  この発明のアルミ角形中空形材を用いて立体を構成するアルミニウム建築構造物の基本型で屋根面が水平の形状である。
【図２】  この発明のアルミ角形中空形材を用いて立体を構成するアルミニウム建築構造物の基本型で屋根面が勾配を持つ形状である。
【図３】  接合金物（マルチホールダウン金物）・押出形材の断面図の例である。
【図４】  接合金物（マルチホールダウン金物）の接合例を示す詳細図である。
【図５】  この発明の接合方法の代表例を示す図である。骨格部材・縦フレームと骨格部材・横フレームとを接合金物（マルチホールダウン金物）により接合された代表例でもある。
【図６】  この発明のアルミ角形中空形材を用いて立体を構成する各部接合部を表現している断面図である。床面、壁面及び屋根面を表現している（屋根面（水平面）及び屋根面（勾配を持つ屋根面）の２タイプを示す。）
【符号の説明】
１  アルミ角形中空形材を用いて立体を構成する
アルミニウム建築構造物
２  床面
３  壁面
４  屋根面
５  屋根面・水平面
６  屋根面・勾配を持つ屋根面
７  骨格部材・縦フレーム
８  接合金物（マルチホールダウン金物）
９  接合金物（マルチホールダウン金物）用座金
１０  接合ボルト・及びナット締付用
１１  骨格部材・横フレーム
１２  接合ビス
１３  モーメント抵抗接合構造・剛構造
【図１】
2006112197.tif 000003
【図２】
2006112197.tif 000004
【図３】
2006112197.tif 000005
【図４】
2006112197.tif 000006
【図５】
2006112197.tif 000007
【図６】
2006112197.tif 000008